(57)【要約】【課題】  咬合器に装着された補綴物等が種々の方向から視認可能であって、補綴物等の展示に適した透明樹脂製の咬合器を提供する。【解決手段】  透明材料からなる下顎弓２の後部両側に立設した一対の透明材料からなる支柱３、３の先端部に透明材料からなる顆路球４、４が設けられ、該顆路球に透明材料からなる上顎弓５の後部両側に設けた一対の透明材料からなるハウジングを被せ、前記顆路球を支点にして前記上顎弓が上下方向に回動可能に支持され、前記上顎弓の下面に透明材料からなる上部マウンティングプレート８が設けられ、前記上顎弓の前部に透明材料からなる切歯指導釘９が設けられ、該切歯指導釘の先端が前記下顎弓の前部の上面に取り付けられた透明材料からなる切歯指導板１０に当接可能とされ、前記下顎弓の上面に透明材料からなる下部マウンティングプレート１１が設けられてなる。【選択図】  図８
2014061156.tif 000002
【特許請求の範囲】
【請求項１】
下顎弓に対し上顎弓が上下方向に回動可能とされた咬合器であって、
少なくとも前記上顎弓が透明材料で形成され、該上顎弓を透して補綴物が視認可能とされていることを特徴とする咬合器。
【請求項２】
前記下顎弓が透明材料で形成され、該下顎弓を透して補綴物が視認可能とされていることを特徴とする請求項１記載の咬合器。
【請求項３】
前記下顎弓の後部両側に立設した透明材料で形成された一対の支柱に前記上顎弓が上下に回動可能に支持され、前記支柱を透して補綴物が視認可能とされていることを特徴とする請求項１または２記載の咬合器。
【請求項４】
前記請求項１ないし３のいずれかに記載の咬合器において、
前記下顎弓の後部両側に立設した一対の前記支柱の先端部に顆路球が設けられ、該顆路球に前記上顎弓の後部両側に設けた一対のハウジングを被せ、前記顆路球を支点にして前記上顎弓が上下方向に回動可能に支持され、前記上顎弓の下面に上部マウンティングプレートが設けられ、前記上顎弓の前部に切歯指導釘が設けられ、該切歯指導釘の先端が前記下顎弓の前部の上面に取り付けられた切歯指導板に当接可能とされ、前記下顎弓の上面に下部マウンティングプレートが設けられ、
前記上部マウンティングプレート、下部マウンティングプレート、切歯指導釘、切歯指導板が透明材料で形成されてなることを特徴とする咬合器。
【請求項５】
全体が透明材料で形成されてなることを特徴とする請求項１ないし請求項４いずれかに記載の咬合器。
【請求項６】
前記透明材料が透明樹脂であることを特徴とする請求項１ないし５のいずれかに記載の咬合器。
【発明の詳細な説明】
【技術分野】
【０００１】
この発明は、咬合器に関するものである。さらに詳しくは、この発明は、咬合器に装着された補綴物等を種々の方向から視認可能とした咬合器に関するものである。
【背景技術】
【０００２】
咬合器は、人の上下顎と同様な運動を機械的に再現するため、概略、下顎弓に対し上顎弓を上下方向に回動としてもので、非特許文献１に記載されているように、種々の種類のものがある。
例えば、平線咬合器は、下顎弓の後部両側に立設した一対の支柱の先端と上顎弓の後部両側とを蝶番とし、該蝶番を介して上顎弓が上下方向に回動可能とされた構造のものである。
アルコン型の咬合器は、下顎弓の後部両側に立設した一対の支柱の先端部にそれぞれ顆路球が設けられ、該顆路球に上顎弓の後部両側に設けた一対のハウジングを被せ、前記顆路球を支点にして上顎弓が上下方向に回動可能に支持され、上顎弓の下面に上部マウンティングプレートが設けられ、上顎弓の前部に切歯指導釘が設けられ、切歯指導釘の先端が下顎弓の前部の上面に取り付けられた切歯指導板に当接可能とされ、下顎弓の上面に下部マウンティングプレートが設けられた構造のものである。
【先行技術文献】
【非特許文献】
【０００３】
【非特許文献１】奥野喜彦等編、「歯科技工辞典」、医歯薬出版株式会社、１９９１年９月、Ｃｏｌｏｒ  Ｆｏｒｕｍ、ｐ．２８
【発明の概要】
【発明が解決しようとする課題】
【０００４】
咬合器は、咬合の病態診断、治療計画、義歯等の補綴物の製作に使用されるだけでなく、他の目的でも使用される。
例えば、人工歯や義歯床材料等のメーカー等は、自社製品の人工歯や義歯床材料等を用いて義歯等の補綴物を製作し、それを咬合器に装着して展示会、商談会等で展示し、補綴物についての文章や写真を用いたパンフレットやパネル等での説明等を省略したり、または、簡素化した説明等とともに、歯科医師、歯科技工士等のユーザーに対し自社製品の優秀さ等を紹介することがある。
このように、義歯等の補綴物を咬合器に装着して展示するのは、自社製品の人工歯や義歯床材料等、それらを用いた義歯等の補綴物についての文章や写真を用いたパンフレットやパネル等での説明等だけでは冗長になりやすく、記載内容を理解するのに時間がかかり面倒であって、しかも、平面的でインパクト性に乏しく、ユーザーの興味を惹き難いのに対し、咬合器に装着した状態での補綴物の実物展示は、補綴物の立体形状、色調、光沢、質感等を瞬時に視認でき、インパクト性が強く、ユーザーの興味を惹きやすいことによる。
【０００５】
咬合器は、金属やカーボン等から作られており、また、補綴物は石膏作業用模型を介して咬合器に装着されて、展示される。
例えば、図９は、アルコン型の咬合器４０に義歯が装着され上下顎弓が閉じた状態における臼歯位置での左右切断断面概略説明図（なお、支柱等は省略して示している。）である。上顎義歯４１が上顎石膏作業用模型４２に止着され、上顎石膏作業用模型４２を介して、上顎弓４３に設けられた上部マウンティングプレート４４に装着され、下顎義歯４５は下顎石膏作業用模型４６に止着され、下顎石膏作業用模型４６を介して、下顎弓４７に設けられた下部マウンティングプレート４８に装着されている。
そうすると、義歯を咬合器に装着して展示した際、咬合器を構成する部材や石膏作業用模型が義歯の視認を妨げることになり、アピールしたい義歯が目立たず、ひいては、義歯を構成している人工歯や義歯床材料等の優秀さ等を十分伝達することは困難である。
【０００６】
この発明の発明者等は、比較的大きなボリュームを占める上下顎石膏作業用模型に代え透明な樹脂材料（例えば、歯科において一般的な歯科材料として使用されているポリメチルメタクリレート（ＰＭＭＡ））からなる上下顎作業用模型を用いることを試みた。
しかしながら、透明な上下顎作業用模型を使用しても、咬合器を構成する部材が邪魔になり、アピールするべき義歯が十分目立つまでには至らず、結局は、義歯を構成している人工歯や義歯床材料等の優秀さ等を十分伝達するまでには至らないことが判明した。
この発明は、上記のような実情に鑑み鋭意研究の結果創案されたものであり、咬合器に装着された補綴物等を種々の方向から視認可能とする咬合器を提供することを目的としている。
【課題を解決するための手段】
【０００７】
上記課題を解決するために、この発明の咬合器は、（１）下顎弓に対し上顎弓が上下方向に回動可能とされた咬合器であって、少なくとも前記上顎弓が透明材料で形成され、該上顎弓を透して補綴物が視認可能とされていることを特徴とする。
（２）前記（１）において、前記下顎弓が透明材料で形成され、該下顎弓を透して補綴物が視認可能とされていることが好ましい。
（３）前記（１）または（２）において、前記下顎弓の後部両側に立設した透明材料で形成された一対の支柱に前記上顎弓が上下に回動可能に支持され、前記支柱を透して補綴物が視認可能とされていることが好ましい。
（４）前記（１）ないし（３）のいずれかにおいて、前記下顎弓の後部両側に立設した一対の前記支柱の先端部に顆路球が設けられ、該顆路球に前記上顎弓の後部両側に設けた一対のハウジングを被せ、前記顆路球を支点にして前記上顎弓が上下方向に回動可能に支持され、前記上顎弓の下面に上部マウンティングプレートが設けられ、前記上顎弓の前部に切歯指導釘が設けられ、該切歯指導釘の先端が前記下顎弓の前部の上面に取り付けられた切歯指導板に当接可能とされ、前記下顎弓の上面に下部マウンティングプレートが設けられ、前記上部マウンティングプレート、下部マウンティングプレート、切歯指導釘、切歯指導板が透明材料で形成されてなることが好ましい。
（５）前記（１）ないし（４）のいずれかにおいて、全体が透明材料で形成されてなることが好ましい。
（６）前記（１）ないし（４）のいずれかにおいて、前記透明材料が透明樹脂であることが好ましい。
【発明の効果】
【０００８】
この発明は、以上説明したように構成されているので、以下に記載されるような効果を奏する。
（１）によれば、上顎弓を透して上方から義歯等の補綴物を視認することができることになる。このため、透明な上顎作業用模型を介して補綴物を咬合器に装着することで、補綴物が際立ち、上顎弓、上顎作業用模型を透して補綴物が上方からの視線を通して認識できることから、アピールしたい補綴物に対するユーザーの注目と興味を惹くことになり、ひいては、補綴物を構成している人工歯や義歯床材料等の優秀さ等を十分伝達することができることになる。
（２）によれば、（１）による効果に加え、さらに、下顎弓を透して下方から補綴物を視認することができることになる。このため、透明な下顎作業用模型を介して補綴物を咬合器に装着することで、補綴物が際立ち、下顎弓、下顎作業用模型を透して補綴物が下方からの視線を通して認識できることから、アピールしたい補綴物に対するユーザーの注目と興味を惹くことになり、ひいては、補綴物を構成している人工歯や義歯床材料等の優秀さ等を十分伝達することができることになる。
（３）によれば、（１）または（２）による効果に加え、さらに、支柱を透して後方から補綴物を視認することができることになる。このため、透明な上顎作業用模型、または、透明な上下顎作業用模型を介して補綴物を咬合器に装着することで、補綴物が際立ち、支柱、作業用模型を透して補綴物が後方からの視線を通して認識できることから、アピールしたい補綴物に対するユーザーの注目と興味を惹くことになり、ひいては、補綴物を構成している人工歯や義歯床材料等の優秀さ等を十分伝達することができることになる。
（４）によれば、前記（１）ないし（３）のいずれかによる効果に加え、さらに、上部マウンティングプレート、下部マウンティングプレートを備えた咬合器（いわゆるアルコン型咬合器）において、上部マウンティングプレート、下部マウンティングプレート、切歯指導釘、切歯指導板が透明なことから、これらを透して補綴物を視認することができることになる。このため、透明な上顎作業用模型、または、透明な上下顎作業用模型を介して補綴物を咬合器に装着することで、補綴物が際立ち、上部マウンティングプレート、下部マウンティングプレート、切歯指導釘、切歯指導板、作業用模型を透して補綴物を認識できることから、アピールしたい補綴物に対するユーザーの注目と興味を十分に惹くことになり、ひいては、補綴物を構成している人工歯や義歯床材料等の優秀さ等を十分伝達することができることになる。
（５）によれば、全方向（すなわち、任意の方向）から補綴物を視認することができることになる。このため、透明な上下顎作業用模型を介して補綴物を咬合器に装着することで、補綴物があたかも空中に浮遊しているかの印象を与えることができ、補綴物を際立たせることになり、アピールしたい補綴物に対するユーザーの注目と興味を強く惹くことになり、ひいては、補綴物を構成している人工歯や義歯床材料等の優秀さ等を十分伝達することができることになる。
（６）によれば、透明樹脂は安価であり、製作も容易である。
【図面の簡単な説明】
【０００９】
【図１】この発明の咬合器の一実施の形態を示す斜視図である。
【図２】図１に示す咬合器の側面図である。
【図３】図１に示す咬合器の分解側面図である。
【図４】図１に示す咬合器の分解正面図である。
【図５】図１に示す咬合器に透明の上下顎作業用模型を装着した状態の側面図である。
【図６】図５に示す状態の斜視図である。
【図７】図５に示す状態において義歯を装着した状態の側面図である。
【図８】図７に示す状態の斜視図である。
【図９】従来のアルコン型咬合器の使用状態を示す左右断面概略説明図である。
【発明を実施するための形態】
【００１０】
以下、発明を実施するための形態を示し、さらに詳しくこの発明について説明する。もちろんこの発明は以下の実施の形態によって限定されるものではない。
咬合器１は、その構成部材の全てがＰＭＭＡ等の透明樹脂で形成されてなる。咬合器１は、アルコン型の咬合器に分類されるものであって、図１〜図４から明らかなように、概略、下顎弓２の後部左右に一対の支柱３、３が立設されており、支柱３、３の先端部にそれぞれ顆路球４、４が設けられ、顆路球４、４に上顎弓５の後部左右に設けた一対のハウジング７、７を被せ、顆路球４、４を支点にして上顎弓５が上下方向に回動可能に支持され、上顎弓５の略中央下面に上部マウンティングプレート８が設けられ、上顎弓５の前部に切歯指導釘９が設けられ、切歯指導釘９の先端が下顎弓２の前部の上面に取り付けられた切歯指導板１０に当接可能とされ、下顎弓２の略中央上面に下部マウンティングプレート１１が設けられてなる。
咬合器１は、補綴物を装着して展示するのに適したものとなっており、従来より市販されている金属製等の咬合器と細部に至るまで同一構造とされてはおらず、補綴物を展示するのに必ずしも必要とされない構造については省略したり、外形形状だけを似せて単純化や簡略化した構造を採用している。
【００１１】
咬合器１を構成する部材は、必要な厚さのＰＭＭＡ等の透明樹脂板を切削、研削、研磨等することで作製されており、各部材をアクリル系の透明接着材で例示される透明接着材で接着することで必要な構造に組み立てられている。
【００１２】
下顎弓２は平面視Ｔの字状に形成された板状体であって、前部の下面、後部左右の下面に、それぞれ脚部材１３、１３、１３が透明接着材で接着されている。
また、下顎弓２の略中央下面において、下部マウンティングプレート１１を固定するネジをイメージした円板状体１４が透明接着材で接着されている。
下部マウンティングプレート１１を固定するネジをイメージした円板状体１４は、必ずしも必要とされるものではない。
【００１３】
左方の支柱３と右方の支柱３の上部が連結部１５で一体化している。支柱３、３の基端面が下顎弓２の後部左右上面に透明接着材で接着されることで、下顎弓２に支柱３、３が立設されている。
なお、連結部１５は必ずしも必要とされるものではない。
【００１４】
顆路球４、４は、支持部４ａ、４ａを有し、支持部４ａ、４ａの基端面が支柱３、３の上端面に透明接着材で接着されている。
【００１５】
下部マウンティングプレート１１は、角落としされた三角板状体であって、その下面が下顎弓２の略中央上面に透明接着材で接着されている。
下部マウンティングプレート１１は前記した形状に限られず、例えば、円形板であってもよい。
【００１６】
切歯指導板１０は、その下面が下顎弓２の前部の上面に透明接着材で接着されている。
【００１７】
上顎弓５は、下顎弓２の後部両端が切り取られた形状に似た形状の平面視Ｔの字状に形成された板状体で、後部上面に上板１７が透明接着材で接着されている。
上顎弓５の後部左右にそれぞれハウジング７、７が透明接着材で接着されている。
ハウジング７、７の内面に顆路球４、４が当接することで、顆路球４、４を支点にして上顎弓５が上下方向に回動可能に支持される。
ハウジング７、７の上面には、アングル部材１８、１８が透明接着材で接着されている。
アングル部材１８、１８には、これをハウジング７、７に固定するネジをイメージした円板状体１９、１９が透明接着材で接着されている。
なお、アングル部材１８、１８や円板状体１９、１９は必ずしも必要とされるものではない。
また、上顎弓５の略中央上面において、上部マウンティングプレート８を固定するネジをイメージした円板状体２０が透明接着材で接着されている。
上部マウンティングプレート８を固定するネジをイメージした円板状体２０は、必ずしも必要とされるものではない。
【００１８】
上部マウンティングプレート８は、下部マウンティングプレート１１と同型の角落としされた三角板状体であって、その上面が上顎弓５の略中央下面に透明接着材で接着されている。
上部マウンティングプレート８は前記した形状に限られず、例えば、円形板であってもよい。
【００１９】
上顎弓５の前部下面に切歯指導釘９の基端面が透明接着材で接着されている。切歯指導釘９の長さは、上顎弓５が顆路球４、４を支点にして下方向に回動された際、切歯指導釘９の先端が切歯指導板１０の上面に当接することで、上顎弓５と下顎弓２との距離が所定間隔となるように設定されている。
上顎弓５の前部上面には、円柱状体２１が透明接着材で接着されている。
円柱状体２１は、必ずしも必要とされるものではない。
【００２０】
このような咬合器１は、図１、図２に示されているように、顆路球４、４にハウジング７、７が被せられ、切歯指導釘９の先端が切歯指導板１０に当接した組み立て状態と、図３、図４に示されているように、顆路球４、４からハウジング７、７が離れ、切歯指導釘９の先端と切歯指導板１０とが離れた状態とすることができる。
【００２１】
咬合器１を用いて補綴物の一例としてのレジン床義歯を展示する場合を以下説明する。
上顎弓５から下顎弓２を図３、図４に示すように分離し、上顎弓５を反転した状態で、上部マウンティングプレート８に透明な上顎作業用模型を透明接着材で接着する。下顎弓２の下部マウンティングプレート１１に透明な下顎作業用模型を透明接着材で接着する。
図５、図６は、透明な下顎作業用模型３０が下部マウンティングプレート１１に透明接着材で接着され、透明な上顎作業用模型３１が上部マウンティングプレート８に透明接着材で接着され、ハウジング７、７を顆路球４、４に被せ、ハウジング７、７の内面と顆路球４、４とを当接させ、切歯指導釘９の先端を切歯指導板１０の上面に当接させた状態を示している。
【００２２】
そして、下顎作業用模型３０に下顎義歯を透明接着材で接着し、上顎作業用模型３１に上顎義歯を透明接着材で接着し、ハウジング７、７を顆路球４、４に被せ、ハウジング７、７の内面と顆路球４、４とを当接させ、切歯指導釘９の先端を切歯指導板１０の上面に当接させることで、図７、図８に示すように咬合器１に義歯３２を装着し展示に供することができる。
なお、上顎弓５から下顎弓２を分離し、上顎弓５を反転した状態で、上顎義歯を透明接着材で接着した透明な上顎作業用模型３１を上部マウンティングプレート８に透明接着材で接着し、下顎義歯を透明接着材で接着した透明な下顎作業用模型３０を下部マウンティングプレート１１に透明接着材で接着し、ハウジング７、７を顆路球４、４に被せ、ハウジング７、７の内面と顆路球４、４とを当接させ、切歯指導釘９の先端を切歯指導板１０の上面に当接させるようにしてもよい。
【００２３】
義歯は、咬合器および上下顎作業用模型が透明であることから、全方向（すなわち、任意の方向）から視認することができ、義歯があたかも空中に浮遊しているかの印象を与え、義歯を際立たせることになり、歯科医師、歯科技工士等の人工歯、義歯床材料等を直接的または間接的に使用するユーザーの注目と興味を強く惹くことになり、ひいては、自社製品である人工歯、義歯床材料等の優秀さ等を十分伝達することができることになる。
【００２４】
前記した咬合器は透明樹脂板を切削、研削、研磨した部材で構成したが、これに限られず、例えば、ＰＭＭＡ粉末とメチルメタクリレート（ＭＭＡ）モノマーとを混和した粉液タイプの餅状レジンを所定の成形型で重合・成型したものを組み合わせたものであってもよい。
【００２５】
前記した咬合器は、全体が透明樹脂で形成されたものとして示したが、これに限られず、必要なパーツを透明としたものであってもよく、例えば、上顎弓、上部マウンティングプレートだけが透明であってもよい。この場合、透明でないパーツは、従来の金属またはカーボンからなる咬合器のパーツを使用すればよい。
【００２６】
前記した咬合器は、展示用に市販の咬合器の一部を単純化または簡略化等しているが、これに限られず、市販の咬合器と同じ構造となるように、透明樹脂で咬合器の部品全てを製造し、部品を組み立てたものであってもよい。
【００２７】
前記した咬合器は、アルコン型咬合器に分類されるものとして示したが、これに限られず、他の種類、例えば、平線咬合器、コンダイラー型咬合器であってもよい。
【００２８】
咬合器に使用する透明材料としては、ＰＭＭＡ、ポリカーボネート、スチレン等の透明樹脂に限られず、透明ガラス等が採用できる。
【００２９】
補綴物としては、上顎義歯、下顎義歯からなる全部床義歯として説明したが、これに限られず、部分床義歯、架工義歯等であってもよい。
【符号の説明】
【００３０】
１  咬合器
２  下顎弓
３  支柱
４  顆路球
５  上顎弓
７  ハウジング
８  上部マウンティングプレート
９  切歯指導釘
１０  切歯指導板
１１  下部マウンティングプレート
【図１】
2014061156.tif 000003
【図２】
2014061156.tif 000004
【図３】
2014061156.tif 000005
【図４】
2014061156.tif 000006
【図５】
2014061156.tif 000007
【図６】
2014061156.tif 000008
【図７】
2014061156.tif 000009
【図８】
2014061156.tif 000010
【図９】
2014061156.tif 000011